(57)【特許請求の範囲】
【請求項１】
軸線に沿って延び、かつ膨張用ガスを噴出する長尺状のガス発生器本体を備えるとともに、前記ガス発生器本体の前記軸線に沿う方向の１箇所又は複数箇所から、その軸線に直交する方向へ突出する取付突起を備えるガス発生器と、前記膨張用ガスにより膨張するエアバッグとを備え、前記取付突起において乗物に取付けられるエアバッグ装置であって、
前記エアバッグは、互いに厚み方向に重ね合わされた第１布部及び第２布部を少なくとも備えるとともに、前記第１布部及び前記第２布部の間に、その第１布部を自身の一部とする収容室を備え、
前記第１布部及び前記第２布部は屈曲部を介して互いに繋がっており、その屈曲部において屈曲されることにより、前記厚み方向に重ね合わされており、
前記収容室には、少なくとも前記第１布部を通じて前記ガス発生器を挿入するための挿入口が、前記屈曲部に隣接する箇所に設けられ、
前記収容室の前記挿入口よりも前記ガス発生器の挿入方向前方の箇所には、少なくとも前記第１布部を通じて前記取付突起が挿通される取付孔が設けられ、
さらに、前記挿入口と、前記挿入方向における最後端の前記取付孔との間には、同挿入口を開口させる開口促進部が設けられ、
前記開口促進部は、前記屈曲部を介して前記第１布部及び前記第２布部に跨った状態で設けられて、同開口促進部の周辺部分よりも剛性を高められた剛性補強部により構成され、
前記剛性補強部は、前記挿入方向には、前記挿入口と、同方向における最後端の前記取付孔との間の領域に設けられ、
前記剛性補強部のうち前記第１布部における部分は、前記挿入口を通じて挿入された前記ガス発生器の前記軸線に直交する方向には、前記取付孔と前記屈曲部との間に設けられ、
前記剛性補強部の前記挿入方向における後端部は、前記挿入口に対し隣接する箇所に配置され、前記剛性補強部の前記挿入方向における前端部は、前記最後端の前記取付孔の側方近傍に配置されているエアバッグ装置。
【請求項２】
前記第１布部、前記屈曲部及び前記第２布部は、共通の布により形成されている請求項１に記載のエアバッグ装置。
【請求項３】
前記剛性補強部は、前記屈曲部を介して前記第１布部及び前記第２布部に跨って貫通配置された縫糸により形成されている請求項１又は２に記載のエアバッグ装置。
【請求項４】
前記収容室は、前記第１布部と、前記第１布部及び前記第２布部の間であって、互いに前記厚み方向に重ね合わされた一対の収容壁部とを備え、
両収容壁部の少なくとも主要部は、それらの周縁部に沿って設けられた結合部により前記第１布部に結合され、
前記挿入口及び前記取付孔は、両収容壁部のうち前記第１布部に重ね合わされた側の前記収容壁部と、前記第１布部とのそれぞれにおいて、前記結合部により囲まれた領域に設けられている請求項１〜３のいずれか１項に記載のエアバッグ装置。
【発明の詳細な説明】
【技術分野】
【０００１】
本発明は、衝突等により乗物に衝撃が加わった場合に、乗物用シートに着座している乗員に接近した箇所でエアバッグを展開及び膨張させて、乗員を衝撃から保護するエアバッグ装置に関する。
【背景技術】
【０００２】
衝突等により車両に衝撃が加わった場合に乗員をその衝撃から保護する装置として、エアバッグ装置が有効である。このエアバッグ装置の一形態として、軸線に沿って延び、かつ膨張用ガスを噴出する長尺状のガス発生器と、ガス発生器から噴出される膨張用ガスにより膨張するエアバッグとを備えるものが知られている。
【０００３】
ガス発生器は、これを乗物に取付けるための一対の取付突起を有する。両取付突起は、ガス発生器の外周部からその軸線に直交する方向であって互いに同一方向へ向けて突出する。
【０００４】
また、エアバッグの主要部は本体布によって構成される。本体布は、その幅方向の中央部に設定された折り線に沿って二つ折りされる。二つ折りされた本体布は、その周縁部において縫合される。
【０００５】
特許文献１に記載されたエアバッグ装置では、本体布の折り線上に補助布が重ね合わされている。本体布及び補助布において、折り線を跨ぐ箇所には、ガス発生器を挿入するための挿入口が設けられている。本体布及び補助布において、ガス発生器の挿入方向における挿入口の前方の箇所には、取付孔があけられている。
【０００６】
上記特許文献１には、ガス発生器に関する記述がなされていないが、同ガス発生器をエアバッグに組付ける際には、挿入口を通じてガス発生器がエアバッグ内に挿入される。ガス発生器の一方の取付突起が取付孔に挿通され、他方の取付突起が挿入口のうち、ガス発生器の挿入方向前側部分に挿通されるものと考えられる。
【０００７】
さらに、上記特許文献１では、本体布及び補助布において、挿入口からガス発生器の挿入方向前方へ離れた箇所と取付孔との間の領域に縫製部が形成されている。この縫製部によって、本体布及び補助布の上記領域が補強されている。
【先行技術文献】
【特許文献】
【０００８】
【特許文献１】独国特許出願公開第１０２０１００３２１７５号明細書
【発明の概要】
【発明が解決しようとする課題】
【０００９】
ところで、上記のように挿入口からガス発生器をエアバッグに挿入するタイプのエアバッグ装置では、その挿入のしやすい構造が求められる。しかし、上記特許文献１では、挿入口からガス発生器を挿入しやすくための構造は特に考慮されていない。
【００１０】
ここで、縫製部に挿入口を開かせる役割を担わせることも考えられる。これは、本体布及び補助布のうち縫製部の周囲の剛性が高められていることや、縫製部が二つ折りされた本体布の折り線に跨っていることによる。剛性の高められた部分が、二つ折りされた状態から平らな状態に戻ろうとして、挿入口が開かれる。ところが、縫製部は、上述したように、挿入口から挿入方向前方へ離れた箇所と取付孔との間の領域に位置している。そのため、仮に縫製部に、挿入口を開かせる役割を担わせるにしても、大きな効果は期待できない。
【００１１】
本発明は、このような実情に鑑みてなされたものであって、その目的は、挿入口を通じたガス発生器のエアバッグへの挿入のしやすさを向上させることのできるエアバッグ装置を提供することにある。
【課題を解決するための手段】
【００１２】
上記課題を解決するエアバッグ装置は、軸線に沿って延び、かつ膨張用ガスを噴出する長尺状のガス発生器本体を備えるとともに、前記ガス発生器本体の前記軸線に沿う方向の１箇所又は複数箇所から、その軸線に直交する方向へ突出する取付突起を備えるガス発生器と、前記膨張用ガスにより膨張するエアバッグとを備え、前記取付突起において乗物に取付けられるエアバッグ装置であって、前記エアバッグは、互いに厚み方向に重ね合わされた第１布部及び第２布部を少なくとも備えるとともに、前記第１布部及び前記第２布部の間に、その第１布部を自身の一部とする収容室を備え、前記収容室には、少なくとも前記第１布部を通じて前記ガス発生器を挿入するための挿入口が設けられ、前記収容室の前記挿入口よりも前記ガス発生器の挿入方向前方の箇所には、少なくとも前記第１布部を通じて前記取付突起が挿通される取付孔が設けられ、さらに、前記挿入口と、前記挿入方向における最後端の前記取付孔との間には、同挿入口を開口させる開口促進部が設けられている。
【００１３】
上記の構成によれば、ガス発生器は、これをエアバッグに組付けるために、収容室に設けられた挿入口から、少なくとも第１布部を通じて挿入される。この際、開口促進部は、挿入口を開口させる機能を発揮する。ここで、開口促進部は、挿入口と、ガス発生器の挿入方向における最後端の取付孔との間に設けられていて、隣り合う取付孔間に設けられる場合よりも、挿入口に近い箇所に位置する。そのため、挿入口は、開口促進部が隣り合う取付孔間に位置する場合よりも大きな力で大きく開口される。その結果、挿入口を通じてガス発生器をエアバッグに挿入する作業は、開口促進部が隣り合う取付孔間に位置していて、挿入口から遠ざかっている場合よりも容易になる。
【００１４】
なお、挿入口から収容室に挿入されたガス発生器は、その取付突起が対応する取付孔に挿通されることでエアバッグに組付けられる。
上記エアバッグ装置において、前記第１布部及び前記第２布部は屈曲部を介して互いに繋がっており、その屈曲部において屈曲されることにより、前記厚み方向に重ね合わされており、前記挿入口は、前記屈曲部に隣接する箇所に設けられ、前記開口促進部は、前記屈曲部を介して前記第１布部及び前記第２布部に跨った状態で設けられて、同開口促進部の周辺部分よりも剛性を高められた剛性補強部により構成されていることが好ましい。
【００１５】
上記の構成によれば、屈曲部を介して互いに繋がり、かつその屈曲部において屈曲されて厚み方向に重ね合わされた第１布部及び第２布部は、屈曲した状態から平らな状態に戻ろうとする。
【００１６】
これに加え、剛性補強部が、屈曲部を介して第１布部及び第２布部に跨った状態で設けられた箇所の剛性は、その周辺部分の剛性よりも高くなる。剛性の高められた部分は、屈曲した状態から平らな状態になろうとする。剛性補強部によって剛性を高められた部分では、剛性を高められていない場合よりも、第１布部が第２布部から厚み方向へ遠ざかろうとする。その影響を、剛性補強部の近くに位置する挿入口が受け、同挿入口がより大きく開口される。
【００１７】
上記エアバッグ装置において、前記剛性補強部の前記挿入方向における後端部は、前記挿入口に対し隣接する箇所に配置されていることが好ましい。
ガス発生器の挿入方向における剛性補強部の後端部は、上記の条件を満たす箇所に配置されることにより、挿入口に近い箇所に位置する。剛性補強部によって剛性の高められた部分では、第１布部が第２布部から厚み方向へ遠ざかろうとするところ、その影響を、剛性補強部の近くに位置する挿入口がより多く受け、同挿入口がより大きく開口される。
【００１８】
上記エアバッグ装置において、前記剛性補強部は、前記挿入方向には、前記挿入口と、同方向における最後端の前記取付孔との間の領域の全体にわたって設けられていることが好ましい。
【００１９】
挿入口と、ガス発生器の挿入方向における最後端の取付孔とが接近していて、両者の間の領域が狭い場合であっても、剛性補強部が、上記の構成によるように、同挿入方向には挿入口と最後端の取付孔との間の領域の全体にわたって設けられることで、挿入口を開口させるうえで必要な剛性を確保することが可能となる。
【００２０】
上記エアバッグ装置において、前記剛性補強部のうち前記第１布部における部分は、前記挿入口を通じて挿入された前記ガス発生器の前記軸線に直交する方向には、前記取付孔と前記屈曲部との間に設けられていることが好ましい。
【００２１】
上記の構成によれば、剛性補強部のうち第１布部における部分が、上記の条件を満たす箇所に設けられることで、挿入口と、ガス発生器の挿入方向における最後端の取付孔とが接近していて、両者の間の領域が狭い場合であっても、挿入口を開口させるうえで必要な剛性を確保することが可能となる。
【００２２】
上記エアバッグ装置において、前記第１布部、前記屈曲部及び前記第２布部は、共通の布により形成されていることが好ましい。
上記の構成によれば、屈曲部において屈曲された第１布部及び第２布部は、自身の復元力により、屈曲前の状態である平らな状態に戻ろうとする。これに加え、屈曲部において屈曲された第１布部及び第２布部のうち、剛性補強部が設けられることで剛性の高められた箇所も、平らな状態になろうとする。従って、剛性補強部の近くに位置する挿入口はより一層大きく開口される。
【００２３】
なお、第１布部及び第２布部が、屈曲した状態から平らな状態に戻ろうとする力は、布が重ね合わされて使用され、しかもその布の枚数が多くなるに従い強くなる。従って、第１布部、第２布部及び屈曲部を構成する布を複数重ねた状態で二つ折りすることで、平らな状態に戻ろうとする力を増強し、挿入口をより一層大きく開口させることが可能となる。
【００２４】
上記エアバッグ装置において、前記剛性補強部は、前記屈曲部を介して前記第１布部及び前記第２布部に跨って貫通配置された縫糸により形成されていることが好ましい。
上記の構成によれば、屈曲部を介して第１布部及び第２布部に跨るように縫糸を貫通配置する（縫製する）といった簡単な構成で、剛性補強部が形成される。
【００２５】
上記エアバッグ装置において、前記収容室は、前記第１布部と、前記第１布部及び前記第２布部の間であって、互いに前記厚み方向に重ね合わされた一対の収容壁部とを備え、両収容壁部の少なくとも主要部は、それらの周縁部に沿って設けられた結合部により前記第１布部に結合され、前記挿入口及び前記取付孔は、両収容壁部のうち前記第１布部に重ね合わされた側の前記収容壁部と、前記第１布部とのそれぞれにおいて、前記結合部により囲まれた領域に設けられていることが好ましい。
【００２６】
上記の構成によれば、ガス発生器は、これをエアバッグに組付けるために、一対の収容壁部のうち第１布部に重ね合わされた側の収容壁部と、第１布部とのそれぞれにおいて、結合部により囲まれた領域に設けられた挿入口から、第１布部及び第２布部の間の一対の収容壁部間に挿入される。この際、挿入口が開口促進部によって開口される。開口促進部は、上記挿入口と、ガス発生器の挿入方向における最後端の取付孔との間に設けられていて、隣り合う取付孔間に設けられる場合よりも、挿入口に近い箇所に位置する。そのため、挿入口は、開口促進部が隣り合う取付孔間に位置する場合よりも大きな力で大きく開口される。
【００２７】
なお、収容室が上記の構成を有している場合には、第１布部には、一対の収容壁部のうちの一方が重ね合わされている。そのため、開口促進部が挿入口を開口する力は、第１布部だけでなく、その第１布部に重ね合わされている収容壁部にも加わる。従って、挿入口をより大きく開口させることが可能である。
【発明の効果】
【００２８】
上記エアバッグ装置によれば、挿入口を通じたガス発生器のエアバッグへの挿入のしやすさを向上させることができる。
【図面の簡単な説明】
【００２９】
【図１】車両用のサイドエアバッグ装置に具体化した一実施形態を示す図であり、同装置が設けられた車両用シートを乗員とともに示す側面図。
【図２】（ａ）は、一実施形態において屈曲される前の収容布を示す展開図、（ｂ）は、図２（ａ）の一部を拡大して示す部分展開図。
【図３】（ａ）は、一実施形態におけるエアバッグモジュールの内部構造を、車外側から見た状態で示す側断面図、（ｂ）は図３（ａ）の一部を拡大して示す部分側断面図。
【図４】（ａ）は、一実施形態におけるエアバッグモジュールを車内側から見た状態で示す側面図、（ｂ）は、図４（ａ）の一部を拡大して示す部分側面図。
【図５】（ａ）は、一実施形態において、周縁結合部による結合が解かれてエアバッグが平面状に広げられた状態のエアバッグモジュールを示す展開図、（ｂ）は図５（ａ）の一部を拡大して示す部分展開図。
【図６】（ａ）は、図５（ａ）のエアバッグモジュールを裏面側から見た展開図、（ｂ）は図６（ａ）の一部を拡大して示す部分展開図。
【図７】一実施形態を示す図であり、（ａ）は、ガス発生器がエアバッグとともに車両用シートのサイドフレーム部に取付けられた状態を示す部分断面図、（ｂ）は、図７（ａ）の部分平断面図。
【図８】一実施形態におけるエアバッグモジュールの構成部品の部分分解斜視図。
【図９】一実施形態を示す図であり、（ａ）は、ガス発生器が取付けられる前のエアバッグの収容室周りの部分断面図、（ｂ）は、ガス発生器が収容室に挿入される途中の状態を示す部分断面図。
【図１０】（ａ）は、図９（ｂ）におけるガス噴出部が挿通部に挿通され始めた状態を示す部分断面図、（ｂ）は、図１０（ａ）における非ガス噴出部が挿通部に挿通された状態を示す部分断面図。
【発明を実施するための形態】
【００３０】
以下、エアバッグ装置を車両用のサイドエアバッグ装置に具体化した一実施形態について、図面を参照して説明する。
なお、以下の記載においては、車両の前進方向を前方として説明し、車両の後進方向を後方として説明する。また、車両の幅方向（車幅方向）における中央部を基準とし、その中央部に近づく側を「車内側」とし、中央部から遠ざかる側を「車外側」とするものとする。
【００３１】
また、車両用シートには、乗員として、標準的な体格を有する大人が、予め定められた正規の姿勢で着座しているものとする。
図１に示すように、車両１０においてボディサイド部の車内側の近傍には車両用シート１２が配置されている。ここで、ボディサイド部とは、車両１０の側部に配置された車両構成部材を指し、主としてドア、ピラー等がこれに該当する。例えば、前席に対応するボディサイド部は、フロントドア、センターピラー（Ｂピラー）等である。また、後席に対応するボディサイド部は、サイドドア（リヤドア）の後部、Ｃピラー、タイヤハウスの前部、リヤクォータ等である。
【００３２】
車両用シート１２は、シートクッション１３と、そのシートクッション１３の後側で斜め後ろ上方へ起立するシートバック１４とを備えている。車両用シート１２は、シートバック１４が前方を向く姿勢で車両１０に配置されている。このように配置された車両用シート１２の幅方向は、車幅方向と合致する。
【００３３】
シートバック１４内には、その骨格をなすシートフレームが配置されている。シートフレームの一部は、図７（ａ），（ｂ）に示すように、シートバック１４内の車外側部分に配置されたサイドフレーム部１５によって構成されている。
【００３４】
シートバック１４の車外側の側部内には収納部１７が設けられ、ここにサイドエアバッグ装置の主要部を構成するエアバッグモジュールＡＭが組込まれている。エアバッグモジュールＡＭは、ガス発生器２０及びエアバッグ２５を主要な構成部材として備えている。次に、これらの構成部材の各々について説明する。
【００３５】
＜ガス発生器２０＞
ガス発生器２０は、その主要部をなすガス発生器本体と、ガス発生器本体をサイドフレーム部１５に取付けるための１つ以上の取付突起とによって構成されている。
【００３６】
ガス発生器本体は、本実施形態では長尺状をなすインフレータ２１によって構成されている。インフレータ２１は、それぞれ円柱状をなすガス噴出部２１ａ及び非ガス噴出部２１ｃを備えている。非ガス噴出部２１ｃは、ガス噴出部２１ａに隣接した状態で、そのガス噴出部２１ａと同軸上に設けられている。非ガス噴出部２１ｃの内部には、膨張用ガスを発生するガス発生剤（図示略）が収容されている。ガス噴出部２１ａの外周部には、膨張用ガスを噴出する複数のガス噴出孔２１ｂが設けられている。また、非ガス噴出部２１ｃのガス噴出部２１ａとは反対側の端部（下端部）には、インフレータ２１への作動信号の入力配線となるハーネス（図示略）が接続されている。
【００３７】
上記のようにガス発生剤を用いたインフレータ２１は、一般に「パイロタイプ」と呼ばれる。なお、インフレータ２１としては、こうしたパイロタイプに代えて、高圧の膨張用ガスの充填されたボンベの隔壁を火薬等によって破断して、その膨張用ガスを噴出させるタイプ（ハイブリッドタイプ）が用いられてもよい。
【００３８】
非ガス噴出部２１ｃの外周面であって、ガス噴出部２１ａに対しインフレータ２１の軸線Ｌ１に沿う方向（下方）へ離間した２箇所には、取付突起としてのボルトが、その軸線Ｌ１に直交する方向であって互いに同一方向へそれぞれ突設されている。一方のボルトは、ガス噴出部２１ａに対し下側に隣接する箇所に設けられている。このボルトとガス噴出部２１ａの下端との間隔は、一般的なインフレータにおけるそれよりも狭くなっている。他方のボルトは、非ガス噴出部２１ｃの下部に設けられている。両取付突起を区別するために、前者のボルトを「特定取付突起２２」といい、後者のボルトを単に「取付突起２３」というものとする。取付突起２３としては、特定取付突起２２と同じか、又は短い長さを有するものが用いられている。
【００３９】
上記のように、特定取付突起２２がガス噴出部２１ａに接近した箇所に設けられることで、インフレータ２１の軸線Ｌ１に沿う方向の小型化が図られている。
＜エアバッグ２５＞
図４（ａ），（ｂ）は、エアバッグ２５が膨張用ガスを充填させることなく平面状に展開させられた状態（以下「非膨張展開状態」という）のエアバッグモジュールＡＭを、車内側から見た状態で示している。また、図３（ａ），（ｂ）は、エアバッグモジュールＡＭの内部構造を示すべく、非膨張展開状態のエアバッグ２５が車幅方向の中央部分で切断されたエアバッグモジュールＡＭを、車外側から見た状態で示している。さらに、図５（ａ），（ｂ）は、周縁結合部２９による結合が解かれてエアバッグ２５が平面状に広げられた状態のエアバッグモジュールＡＭを示している。
【００４０】
図３（ａ）、図４（ａ）及び図５（ａ）に示すように、エアバッグ２５の主要部は、１枚の布片（基布、パネル布等とも呼ばれる）を、その幅方向の中央部に設定された屈曲部としての折り線２６において二つ折りして車幅方向に重ね合わせ、その重ね合わされた部分を結合させることにより形成されている。ここでは、エアバッグ２５の重ね合わされた２つの部分を区別するために、車内側に位置するものを第１布部２７といい、車外側に位置するものを第２布部２８というものとする。互いに重ね合わされた第１布部２７及び第２布部２８の厚み方向と車幅方向とは合致している。
【００４１】
第１布部２７及び第２布部２８としては、強度が高く、かつ可撓性を有していて容易に折り畳むことのできる素材、例えばポリエステル糸、ポリアミド糸等を用いて形成した織布等が適している。
【００４２】
第１布部２７及び第２布部２８の上記結合は、それらの周縁部に設けられた周縁結合部２９においてなされている。本実施形態では、周縁結合部２９は第１布部２７及び第２布部２８の周縁部のうち、後端部（折り線２６の近傍部分）等を除く部分を、縫製（縫糸で縫合）することにより形成されている。このように、結合が縫製による点は、後述する結合部４５についても同様である。
【００４３】
上記縫製に関し、図３〜図７、図９及び図１０では、３つの線種によって縫製部分が表現されている。１つ目の線種は、一定長さの太線を断続的に並べて表現した線（破線の一種）であり、これは、縫合部分を車外側又は車内側から見た状態で示している（図４（ａ）における周縁結合部２９等参照）。２番目の線種は、一定長さ（一般的な破線よりも長い長さ）の細線を断続的に並べて表現した線であり、これは、例えば布片の奥に位置していて直接は見えない（隠れている）縫糸の状態を示している（図９（ｂ）における結合部４５等参照）。３番目の線種は、点を一定間隔おきに並べて表現した線（破線の一種）であり、これは、例えば縫合の対象となる第１布部２７及び第２布部２８の間における縫糸の状態を示している（図３（ａ）における周縁結合部２９等参照）。すなわち、縫製が３番目の線種で表現されている図は、縫製部分を通る断面に沿った断面構造を示している。
【００４４】
なお、周縁結合部２９は、上記縫糸を用いた縫合とは異なる手段、例えば接着剤を用いた接着によって形成されてもよい。この点は、結合部４５についても同様である。
図７（ａ）に示すように、エアバッグ２５は、上記ガス噴出部２１ａから噴出される膨張用ガスにより膨張する膨張部３１を備えるとともに、インフレータ２１を収容するための筒状の収容室３２を膨張部３１の外部に備えている。
【００４５】
これらの膨張部３１及び収容室３２の形成のために、上記第１布部２７及び第２布部２８と同様の素材からなる１枚の縦長の収容布３３が用いられている。図２（ａ）は、屈曲される前の収容布３３を示している。図２（ａ），（ｂ）及び図９（ａ）に示すように、収容布３３の長さ方向における中央部には、屈曲部として、幅方向（図２（ａ），（ｂ）の左右方向）に延びる谷折り線３４が設定されている。また、収容布３３の長さ方向における中央部分であって、谷折り線３４を長さ方向の両側から挟み込む箇所には、それぞれ幅方向に延びる一対の山折り線３５，３６が屈曲部として設定されている。
【００４６】
収容布３３において、両山折り線３５，３６によって挟まれた部分（谷折り線３４を含む）は、収容室３２と膨張部３１とを隔てる隔壁３７を構成している。隔壁３７のうち、谷折り線３４と一方の山折り線３５とによって挟まれた部分は、重ね合わせ部３８を構成している。隔壁３７のうち、谷折り線３４と他方の山折り線３６とによって挟まれた部分は、重ね合わせ部３９を構成している。両重ね合わせ部３８，３９は、屈曲部（谷折り線３４）を介して屈曲可能に接続されている。屈曲部（谷折り線３４）において屈曲されて重ね合わされた一対の重ね合わせ部３８，３９によって、特定取付突起２２の長さ方向に伸縮し得る伸縮部４０が構成されている。
【００４７】
さらに、収容布３３において、隔壁３７を収容布３３の長さ方向両側から挟み込む２つの部分のうち、山折り線３５に隣接するものは収容壁部４１を構成し、山折り線３６に隣接するものは収容壁部４２を構成している。重ね合わせ部３８と収容壁部４１とは、屈曲部（山折り線３５）を介して屈曲可能に接続され、重ね合わせ部３９と収容壁部４２とは、屈曲部（山折り線３６）を介して屈曲可能に接続されている。
【００４８】
そして、収容布３３は、谷折り線３４に沿って谷折り（屈曲）され、かつ各山折り線３５，３６に沿って山折り（屈曲）されることで、蛇腹状に折り畳まれている。両重ね合わせ部３８，３９及び両収容壁部４１，４２は、それらの厚み方向に重ねられている。この厚み方向は、上記特定取付突起２２の長さ方向と同一である。また、この厚み方向は、互いに重ね合わされた第１布部２７及び第２布部２８の厚み方向（車幅方向）とも同一である。両重ね合わせ部３８，３９は、両収容壁部４１，４２間の上端部に位置している。
【００４９】
上記のように蛇腹状に折り畳まれることで長さ方向の寸法を小さくされた収容布３３（図８参照）は、図５（ａ），（ｂ）及び図６（ａ），（ｂ）に示すように、第１布部２７及び第２布部２８の間であって、折り線２６を跨ぐ箇所に配置されている。蛇腹状に折り畳まれた上記収容布３３は、その周縁部のうち上縁部を除く部分に沿って略Ｕ字状に設けられた結合部４５によって第１布部２７と、第１布部２７及び第２布部２８の境界部分とに結合されている。結合部４５の多くは、収容布３３の多くの部分を第１布部２７に結合している。結合部４５の一部は、折り線２６上に設けられている。このように、両収容壁部４１，４２の主要部は、結合部４５により第１布部２７に結合されている。
【００５０】
図４（ａ），（ｂ）及び図５（ａ），（ｂ）に示すように、エアバッグ２５における上記膨張部３１は、第１布部２７及び第２布部２８の間であって、周縁結合部２９によって囲まれた空間によって構成されている。この膨張部３１は、図１に示すように、乗員Ｐの上半身の一部（胸部ＰＴから肩部ＰＳにかけての部位）の側方で展開及び膨張することにより、同部分を拘束して衝撃から保護する機能を担っている。図７（ａ）に示すように、収容布３３における一方の収容壁部４２は、収容室３２の一部と膨張部３１の一部とを構成している。
【００５１】
また、上記収容室３２の主要部は、収容布３３の両収容壁部４１，４２間であって、結合部４５と隔壁３７とで囲まれた空間によって構成されている。第１布部２７のうち結合部４５により囲まれた領域もまた収容室３２の一部を構成している。このように構成された収容室３２は、膨張部３１の外部で上下方向に延びる筒状をなしている。
【００５２】
図５（ａ），（ｂ）に示すように、第１布部２７、屈曲部（折り線２６）及び第２布部２８は、共通の布により形成されている。図９（ａ），（ｂ）に示すように、両重ね合わせ部３８，３９及び両収容壁部４１，４２は、屈曲部（谷折り線３４及び両山折り線３５，３６）において屈曲されることにより、第１布部２７及び第２布部２８の間で厚み方向に重ね合わされている。
【００５３】
図８に示すように、両収容壁部４１，４２のうち、第１布部２７に重ねられた側の収容壁部４１と、第１布部２７とのそれぞれにおいて、結合部４５によって囲まれた領域の下部には、インフレータ２１の挿入口４６がそれぞれ設けられている。挿入口４６は、屈曲部（折り線２６）を起点とし、その屈曲部（折り線２６）に直交する方向のうち第２布部２８から遠ざかる側へ延びるスリットによって構成されている。挿入口４６（スリット）の長さは、ガス発生器２０が挿入し得る長さに設定されている。
【００５４】
図２（ａ），（ｂ）に示すように、隔壁３７の一部には、ガス噴出孔２１ｂが膨張部３１内に位置するように非ガス噴出部２１ｃを挿通させるための挿通部４７が設けられている。挿通部４７は、自身の内壁面が非ガス噴出部２１ｃの外周面に密着する大きさの円形の孔によって構成されている。本実施形態では、収容布３３が布によって形成されていて、若干の伸縮性を有していることを考慮し、挿通部４７の内径が非ガス噴出部２１ｃの外径と同一か、それよりも僅かに小さな値に設定されている。
【００５５】
円形の孔からなる挿通部４７の中心は、一対の重ね合わせ部３８，３９間の屈曲部（谷折り線３４）よりも後述する取付孔４８，４９から遠い側に位置している。本実施形態では、挿通部４７の全体が、取付孔４８，４９から遠い側（収容壁部４２に近い側）の重ね合わせ部３９に形成されている。
【００５６】
図７（ａ），（ｂ）に示すように、隔壁３７は、上記のように収容室３２と膨張部３１とを隔てる機能を有するほかに、膨張部３１内の膨張用ガスが、挿通部４７の内壁面と非ガス噴出部２１ｃの外周面との隙間から収容室３２へ漏出するのを規制する機能も有している。
【００５７】
図９（ａ），（ｂ）に示すように、両収容壁部４１，４２のうち、収容布３３の膨張部３１から遠い側、すなわち、第１布部２７に重ねられた側の収容壁部４１と、第１布部２７とのそれぞれにおいて、結合部４５により囲まれた領域には、２つの取付孔４８，４９がそれぞれあけられている。これらの取付孔４８，４９は、収容壁部４１及び第１布部２７の上記領域において、挿入口４６よりもガス発生器２０の挿入方向前方となる２箇所、本実施形態では、挿入口４６と挿通部４７との間の２箇所に設けられている。
【００５８】
図７（ａ）に示すように、一方の取付孔４９は、非ガス噴出部２１ｃのガス噴出部２１ａとの境界部分が挿通部４７によって取り囲まれた状態で、収容壁部４１及び第１布部２７において特定取付突起２２と対向する箇所に設けられている。他方の取付孔４８は、上記と同じ状態で、収容壁部４１及び第１布部２７において取付突起２３と対向する箇所に設けられている。
【００５９】
さらに、図８及び図９（ａ）に示すように、エアバッグ２５のうち、挿入口４６と、ガス発生器２０の挿入方向における最後端の取付孔４８との間には、同挿入口４６を開口させる開口促進部として剛性補強部５１が設けられている。剛性補強部５１は、収容壁部４１に貫通配置されるとともに、屈曲部（折り線２６）を介して、第１布部２７と第２布部２８とに跨って貫通配置された縫糸によって形成されている。表現を変えると、剛性補強部５１は、縫糸を用いて、収容壁部４１と第１布部２７及び第２布部２８とを縫合させることによって形成されている。
【００６０】
本実施形態では、剛性補強部５１は、屈曲部（折り線２６）の延びる方向に互いに離間した複数箇所において、同屈曲部（折り線２６）に対し直交する方向へそれぞれ延びる直線部５１ａと、隣り合う直線部５１ａの端部同士を繋ぐ円弧状の複数の湾曲部５１ｂとを備えて構成されている。ガス発生器２０の挿入方向における剛性補強部５１の最後端の直線部５１ａは、挿入口４６に対し隣り合う箇所に位置し、最前端の直線部５１ａは最後端の取付孔４８の側方近傍に位置している。従って、剛性補強部５１は、ガス発生器２０の挿入方向については、挿入口４６と取付孔４８との間の領域の全体にわたって設けられていることになる。
【００６１】
さらに、剛性補強部５１のうち、第１布部２７における部分は、収容室３２に収容された状態のガス発生器２０の軸線Ｌ１に直交する方向については、最後端の取付孔４８と屈曲部（折り線２６）との間に設けられている。剛性補強部５１のうち、第２布部２８における部分は、軸線Ｌ１に直交する方向については、屈曲部（折り線２６）と、同屈曲部（折り線２６）から一定距離離れた箇所との間に設けられている。第１布部２７及び第２布部２８において、剛性補強部５１の設けられた箇所では、少なくともその箇所の周辺部分よりも剛性を高められている。
【００６２】
ところで、エアバッグモジュールＡＭは、非膨張展開状態のエアバッグ２５（図４（ａ）参照）が折り畳まれることにより、コンパクトな形態（以下「収納用形態」という）にされている（図７（ｂ）参照）。これは、エアバッグモジュールＡＭを、シートバック１４における限られた大きさの収納部１７に対し、収納に適したものとするためである。エアバッグ２５が折り畳まれたエアバッグモジュールＡＭは、結束テープ（図示略）等の保持手段によって収納用形態に保持される。
【００６３】
収納用形態に保持されたエアバッグモジュールＡＭは収納部１７に配設されている。そして、図７（ａ），（ｂ）に示すように、特定取付突起２２及び取付突起２３が、サイドフレーム部１５にあけられた孔１６にそれぞれ挿通されている。特定取付突起２２及び取付突起２３のそれぞれにナット１８が締付けられることにより、ガス発生器２０がエアバッグ２５と一緒にサイドフレーム部１５に固定されている。
【００６４】
サイドエアバッグ装置は、上述したエアバッグモジュールＡＭのほかに、図１に示す衝撃センサ６１及び制御装置６２を備えている。衝撃センサ６１は加速度センサ等からなり、車両１０のボディサイド部に取付けられており、同ボディサイド部に外側方から加わる衝撃を検出する。制御装置６２は、衝撃センサ６１からの検出信号に基づきインフレータ２１の作動を制御する。
【００６５】
さらに、車両１０には、車両用シート１２に着座している乗員Ｐを拘束するためのシートベルト装置が装備されているが、図１ではこのシートベルト装置の図示が省略されている。
【００６６】
次に、上記のように構成された本実施形態のサイドエアバッグ装置の作用について説明する。
最初に、エアバッグ２５にガス発生器２０を組付ける手順について説明する。
【００６７】
この組付けに際しては、ガス発生器２０は、図９（ａ）に示すように、一対の収容壁部４１，４２のうち、第１布部２７に重ね合わされた側の収容壁部４１と、第１布部２７とのそれぞれにおいて、結合部４５により囲まれた領域に設けられた挿入口４６から、収容室３２の一対の収容壁部４１，４２間に挿入される。
【００６８】
この際、屈曲部（折り線２６）を介して互いに繋がり、かつその屈曲部（折り線２６）において屈曲されて厚み方向（車幅方向）に重ね合わされた第１布部２７と第２布部２８とは、自身の復元力により、屈曲前の状態である平らな状態に戻ろうとする。
【００６９】
これに加え、屈曲部（折り線２６）を介して第１布部２７と第２布部２８とに跨って剛性補強部５１の設けられた箇所の剛性は、少なくともその周辺部分の剛性よりも高くなっている。剛性の高められている部分は、屈曲した状態から平らな状態になろうとする。剛性補強部５１によって剛性を高められた部分では、第１布部２７及び収容壁部４１が、第２布部２８及び収容壁部４２から厚み方向へ遠ざかろうとする。その影響を、剛性補強部５１の近くに位置する挿入口４６が受け、同挿入口４６が開口される。
【００７０】
特に、本実施形態では、ガス発生器２０の挿入方向における剛性補強部５１の後端部が、挿入口４６に対し隣り合う箇所に位置していることから、剛性補強部５１のうち第１布部２７及び収容壁部４１における部分は、挿入口４６に近い箇所に位置する。剛性補強部５１によって剛性の高められた部分では、第１布部２７及び収容壁部４１が、第２布部２８及び収容壁部４２から厚み方向へ遠ざかろうとするところ、その影響を、剛性補強部５１の近くに位置する挿入口４６がより多く受け、同挿入口４６がより大きく開口される。
【００７１】
また、挿入口４６と、上記挿入方向における最後端の取付孔４８とが接近していて、両者の間の領域が狭い。しかし、剛性補強部５１が、挿入口４６と上記取付孔４８との間の領域の全体にわたって設けられている本実施形態では、挿入口４６を開口させるうえで必要な剛性を確保することができる。
【００７２】
また、第１布部２７及び収容壁部４１における剛性補強部５１が、上記取付孔４８と屈曲部（折り線２６）との間に設けられている本実施形態では、挿入口４６を開口させるうえで必要な剛性を確保することができる。
【００７３】
ここで、剛性補強部５１は、上記のように、第１布部２７及び収容壁部４１のうち、挿入口４６と取付孔４８との間に設けられていることから、隣り合う取付孔４８，４９間に設けられる場合よりも、挿入口４６に近い箇所に位置する。そのため、挿入口４６は、剛性補強部５１が隣り合う取付孔４８，４９間に位置する場合よりも大きな力で大きく開口される。その結果、挿入口４６を通じてインフレータ２１、特定取付突起２２及び取付突起２３をエアバッグ２５に挿入する作業は、剛性補強部５１が隣り合う取付孔４８，４９間に位置していて、挿入口４６から遠ざかっている場合よりも容易になる。
【００７４】
また、収容壁部４１に縫糸を貫通配置するとともに、屈曲部（折り線２６）を介して第１布部２７と第２布部２８とに跨るように縫糸を貫通配置する（縫製する）といった簡単な構成で、剛性補強部５１を形成することができる。
【００７５】
ところで、挿入口４６に挿入され始めたガス発生器２０をエアバッグ２５に組付ける際には、特定取付突起２２を取付孔４９に近づけ、取付突起２３を取付孔４８に近づける必要がある。そのためには、収容室３２のうち、少なくとも挿入口４６と取付孔４９との間の領域では、図９（ｂ）に示すように、インフレータ２１の軸線Ｌ１に直交する方向における寸法が、ガス発生器２０を挿入できる寸法になっていることが要求される。
【００７６】
また、特定取付突起２２がガス噴出部２１ａの近くに位置し、かつ取付孔４９が隔壁３７に近い箇所に位置している本実施形態では、その隔壁３７は、上記軸線Ｌ１に直交する方向における収容室３２の大きさに影響を及ぼす。そのため、仮に、隔壁３７の寸法が適正値よりも小さいと、挿入口４６と取付孔４９との間の領域では、軸線Ｌ１に直交する方向における収容室３２の寸法が、ガス発生器２０を挿入できる寸法よりも小さくなってしまう。
【００７７】
この点、一対の重ね合わせ部３８，３９からなる伸縮部４０が隔壁３７に形成されている本実施形態では、隔壁３７において、隣り合う重ね合わせ部３８，３９のなす角を屈曲部（谷折り線３４）において変化させることで、伸縮部４０を特定取付突起２２の長さ方向に伸縮させることが可能である。
【００７８】
従って、特定取付突起２２が取付孔４９に挿通される前に、伸縮部４０を伸張させることで、挿入口４６と取付孔４９との間の領域では、軸線Ｌ１に直交する方向における収容室３２の寸法を、ガス発生器２０を挿入できる寸法にすることが可能である。ガス発生器２０を収容室３２に支障なく挿入させて、特定取付突起２２を取付孔４９へ導き、取付突起２３を取付孔４８に導くことが可能である。
【００７９】
一方、孔からなる挿通部４７の全体は、一対の重ね合わせ部３８，３９のうち、取付孔４９から遠い側（膨張部３１に近い側）の重ね合わせ部３９に形成されている。重ね合わせ部３９には収容壁部４２が隣接している。
【００８０】
従って、上述したガス発生器２０の挿入口４６への挿入に先立ち、特定取付突起２２が収容壁部４１に向かって延びるようにガス発生器２０の姿勢を調整する作業を行なう。図９（ｂ）に示すように、収容室３２に対し、ガス発生器２０を挿入口４６から、収容壁部４２に沿って挿入する。こうすることで伸縮部４０が伸張し、挿入口４６と取付孔４９との間の領域では、軸線Ｌ１に直交する方向における収容室３２の寸法が、ガス発生器２０を挿入できる寸法になる。図１０（ａ），（ｂ）に示すように、ガス噴出部２１ａを挿通部４７へ導き、特定取付突起２２を取付孔４９へ導き、かつ取付突起２３を取付孔４８へ導くことができる。
【００８１】
図１０（ｂ）に示すように、非ガス噴出部２１ｃがガス噴出部２１ａとの境界部分まで挿通部４７に挿通されると、全てのガス噴出孔２１ｂが膨張部３１内に位置する。隔壁３７は、挿通部４７の周りの部分の剛性を高める構成を有していない。挿通部４７の内壁面は、剛性を高められた場合よりも非ガス噴出部２１ｃの外周面に沿って変形しやすい。そのため、非ガス噴出部２１ｃと挿通部４７の内壁面との間には隙間が生ずるが、その隙間を、剛性が高められて変形しにくくなる場合よりも小さくすることができる。
【００８２】
本実施形態では、挿通部４７を、円柱状をなす非ガス噴出部２１ｃの外形形状に対応する円形の孔によって構成している。そのため、挿通部４７を他の形状にする場合に比べ、挿通部４７の内壁面を非ガス噴出部２１ｃの外周面に密着させることが容易である。
【００８３】
しかも、本実施形態では、挿通部４７の内径を、非ガス噴出部２１ｃの外径と同一か、又はそれよりも僅かに小さくしている。そのため、挿通部４７に非ガス噴出部２１ｃが挿通された状態では、挿通部４７の内壁面が非ガス噴出部２１ｃの外周面に密着する。非ガス噴出部２１ｃと挿通部４７の内壁面との間の隙間は採り得る最小又はそれに近い大きさとなる。
【００８４】
上記のように、非ガス噴出部２１ｃが、ガス噴出部２１ａとの境界部分まで挿通部４７に挿通されると、特定取付突起２２が取付孔４９に対向し、かつ取付突起２３が取付孔４８に対向する。そのため、非ガス噴出部２１ｃが挿通部４７に挿通された上記状態のガス発生器２０を収容壁部４１に近づける。すると、隔壁３７を特定取付突起２２の長さ方向に収縮させつつ、特定取付突起２２が取付孔４９に挿通させられ、取付突起２３が取付孔４８に挿通させられる。その結果、特定取付突起２２及び取付突起２３をエアバッグ２５（膨張部３１及び収容室３２）の外部に位置させた状態で、ガス発生器２０がエアバッグ２５に組付けられる。
【００８５】
次に、本実施形態のサイドエアバッグ装置の動作について説明する。
ボディサイド部に対し側方から衝撃が加わったことが衝撃センサ６１によって検出されないときには、制御装置６２からインフレータ２１に対し、これを作動させるための作動信号が出力されず、インフレータ２１から膨張用ガスが噴出されない。エアバッグ２５は、収納用形態でガス発生器２０とともに収納部１７に収納され続ける（図７（ｂ）参照）。
【００８６】
これに対し、車両１０の走行中等に、側突等によりボディサイド部に所定値以上の衝撃が加わり、そのことが衝撃センサ６１によって検出されると、その検出信号に基づき制御装置６２からインフレータ２１に対し、これを作動させるための作動信号が出力される。この作動信号に応じて、インフレータ２１は膨張用ガスをガス噴出部２１ａのガス噴出孔２１ｂから噴出する。
【００８７】
この膨張用ガスは膨張部３１に供給される。この際、膨張部３１内に供給された膨張用ガスが、挿通部４７の内壁面と非ガス噴出部２１ｃの外周面との隙間から収容室３２へ漏出しようとしても、その隙間が小さくなっていることから漏出しにくい。
【００８８】
膨張部３１は、上記のようにして供給された膨張用ガスにより膨張を開始する。この膨張は、折り状態の解消（展開）を伴いながらなされる。エアバッグ２５は、その一部（後部）を収納部１７に残した状態で、シートバック１４から、前方へ飛び出す。
【００８９】
その後も膨張用ガスが供給されるエアバッグ２５は、ボディサイド部と、車両用シート１２に着座している乗員Ｐの上半身（胸部ＰＴから肩部ＰＳにかけての領域）との間で前方へ向けて折り状態を解消（展開）しながら膨張する（図１参照）。このときにも、挿通部４７の内壁面と非ガス噴出部２１ｃの外周面との隙間から収容室３２へ漏出する膨張用ガスは僅かである。
【００９０】
このように展開及び膨張したエアバッグ２５が、乗員Ｐの上半身と、車内側へ進入してくるボディサイド部との間に介在する。このエアバッグ２５によって上半身が車内側へ押圧されて拘束される。そして、ボディサイド部を通じて上半身に伝わる側方からの衝撃が、エアバッグ２５によって緩和されて、同上半身が保護される。
【００９１】
なお、上記実施形態は、これを以下のように変更した変形例として実施することもできる。
＜ガス発生器２０について＞
・特定取付突起２２及び取付突起２３は、上記実施形態のように、非ガス噴出部２１ｃに直接固定されてもよいし、間接的に固定されてもよい。後者の場合、例えば、非ガス噴出部２１ｃの外周に帯状の補助部材（図示略）が装着され、この補助部材に特定取付突起２２又は取付突起２３が固定されてもよい。
【００９２】
・ガス発生器本体として、ガス噴出部２１ａ及び非ガス噴出部２１ｃを有するインフレータ２１と、この非ガス噴出部２１ｃを覆う筒状のリテーナとによって構成されるものが用いられてもよい。この場合、リテーナがガス発生器本体の外周部分を構成することになる。リテーナは、かしめ等の手段によってインフレータ２１に固定される。特定取付突起２２及び取付突起２３のうち少なくとも特定取付突起２２は、インフレータ２１に代えてリテーナに設けられる。
【００９３】
・上記のように、ガス発生器本体がインフレータ２１とリテーナとによって構成される場合、そのガス発生器本体をエアバッグ２５に組付ける態様としては、次の２態様がある。
【００９４】
第１の態様：インフレータ２１がリテーナに装着された形態のガス発生器本体を、特定取付突起２２及び取付突起２３とともに挿入口４６から収容室３２に挿入することで、エアバッグ２５に組付ける態様。
【００９５】
第２の態様：リテーナとインフレータ２１とを別々にエアバッグ２５に組付ける態様。この態様では、最初に、リテーナを少なくとも特定取付突起２２とともに挿入口４６から収容室３２に挿入し、特定取付突起２２を取付孔４９に挿通させることでエアバッグ２５に組付ける。その後、インフレータ２１を挿入口４６から収容室３２内のリテーナに挿入し、非ガス噴出部２１ｃを隔壁３７の挿通部４７に挿通させる。
【００９６】
上記第１の態様及び第２の態様のいずれであっても、ガス発生器本体の外周部から特定取付突起２２が突出するものをガス発生器としているため、インフレータ２１のみによってガス発生器本体が構成される上記実施形態と同様の作用及び効果が得られる。
【００９７】
・特定取付突起２２及び取付突起２３の少なくとも一方は、インフレータ２１を乗物に固定することのできるものであることを条件に、ボルトとは異なる部材に変更されてもよい。
【００９８】
・取付突起２３は、非ガス噴出部２１ｃのうち、インフレータ２１の軸線Ｌ１に沿う方向における複数箇所に設けられてもよい。取付突起２３が複数箇所に設けられる場合、全部の取付突起２３が同じ形態（例えば、ボルトとナットとによる締結）でサイドフレーム部１５に固定されてもよいし、異なる形態で固定されてもよい。
【００９９】
・取付突起が特定取付突起２２のみによって構成されてもよい。この場合には、取付突起２３が省略される。
・インフレータ２１として、特定取付突起２２がガス噴出部２１ａから軸線Ｌ１に沿う方向へ上記実施形態よりも遠く離れたタイプが用いられてもよい。この場合には、隔壁３７から伸縮部４０を省略することが可能である。
【０１００】
これは、伸縮部４０がなくても、隔壁３７が、軸線Ｌ１に直交する方向における収容室３２の大きさに及ぼす影響が少ないからである。挿入口４６と取付孔４９との間の領域では、軸線Ｌ１に直交する方向における収容室３２の寸法を、インフレータ２１及び特定取付突起２２を挿入できる寸法よりも大きくすることが可能である。
【０１０１】
＜膨張部３１について＞
・エアバッグ２５は、その略全体が上記実施形態のように膨張部３１からなるものであってもよいが、膨張用ガスが供給されず膨張することのない非膨張部を一部に有するものであってもよい。
【０１０２】
・膨張部３１は、複数の部屋（膨張室）に区画されてもよい。
＜収容室３２について＞
・上記実施形態では、収容室３２が膨張部３１とは別に設けられたが、同収容室３２は膨張部３１の一部によって構成されてもよい。要は、収容室３２は、第１布部２７及び第２布部２８の間に形成され、かつその第１布部２７を自身の一部とするものであればよい。この場合であっても、上記実施形態と同様に、挿入口４６を開口させることができ、挿入口４６を通じたガス発生器２０のエアバッグ２５への挿入のしやすさを向上させる効果を得ることができる。
【０１０３】
＜挿入口４６及び挿通部４７について＞
・挿入口４６が、スリットに代えて孔によって構成されてもよい。また、挿通部４７が、孔に代えてスリットによって構成されてもよい。
【０１０４】
＜開口促進部について＞
・第１布部２７及び第２布部２８が、屈曲した状態から平らな状態に戻ろうとする力は、布が重ね合わされて使用され、しかもその布の枚数が多くなるに従い強くなる。そのため、第１布部２７、第２布部２８及び屈曲部（折り線２６）を構成する布を、複数枚重ね合わせた状態で二つ折りさせてもよい。そのうえで、剛性補強部５１を、屈曲部（折り線２６）を介して第１布部２７及び第２布部２８に跨った状態で設ける。こうすることで、平らな状態に戻ろうとする力を増強し、挿入口４６をより一層大きく開口させることができる。
【０１０５】
・剛性補強部５１は、縫糸が屈曲部（折り線２６）を介して第１布部２７及び第２布部２８に跨って貫通配置されることを条件に、上記実施形態とは異なる形状、例えば渦巻き状に形成されてもよい。
【０１０６】
・開口促進部（剛性補強部５１）が縫糸に代えて、コーティング剤が塗布されることによって構成されてもよい。
・開口促進部（剛性補強部５１）が、収容室３２において、屈曲部（折り線２６）を介して第１布部２７及び第２布部２８に跨った状態で設けられた補強布によって構成されてもよい。
【０１０７】
・挿入口４６と取付孔４８との間隔が充分に広い場合、第１布部２７及び収容壁部４１での剛性補強部５１の軸線Ｌ１に直交する方向の寸法は、取付孔４８と屈曲部（折り線２６）との間隔よりも大きく設定されてもよい。
【０１０８】
・開口促進部は、挿入口４６を開口させる機能を有するものであればよく、上記剛性補強部５１とは異なる構成を有するものが採用されてもよい。
この際、開口促進部を、収容壁部４１及び第１布部２７の両者に設けることが好ましい。この場合には、第１布部２７には、一対の収容壁部４１，４２のうちの一方の収容壁部４１が重ね合わされている。そのため、開口促進部が挿入口４６を開口する力は、第１布部２７だけでなく、その第１布部２７に重ね合わされている収容壁部４１にも加わる。従って、挿入口４６をより大きく開口させることが可能である。
【０１０９】
＜適用できるエアバッグ装置の種類について＞
・エアバッグ装置は、ガス発生器本体及び取付突起を備えるガス発生器と、ガス発生器本体から噴出される膨張用ガスにより膨張するエアバッグとを備え、取付突起において乗物に取付けられるものであれば、サイドエアバッグ装置とは異なる種類のエアバッグ装置にも適用可能である。
【０１１０】
その１つとして、膝保護用エアバッグ装置（ニーエアバッグ装置とも呼ばれる）がある。このタイプのエアバッグ装置は、乗物に加わる衝撃に応じ、乗物用シートに着座した乗員の下肢の前下方でエアバッグを膨張させることにより、同乗員の脛部から膝部にかけての部位を保護するものである。
【０１１１】
そのほかにも、エアバッグ装置は、シートクッションエアバッグ装置にも適用可能である。このタイプのエアバッグ装置は、乗物に加わる衝撃に応じ、乗物用シートのシートクッション内に配置されたエアバッグを膨張用ガスにより膨張させて座面を隆起させ、シートクッション上の乗員が前方へ移動するのを規制するものである。
【０１１２】
＜その他＞
・上記サイドエアバッグ装置は、シートバック１４が車両の前方とは異なる方向、例えば側方を向く姿勢で車両用シート１２が配置された車両において、その車両用シート１２に対し側方（車両の前後方向）から衝撃が加わった場合に、同衝撃から乗員Ｐを保護するタイプのサイドエアバッグ装置にも適用可能である。
【０１１３】
・乗員Ｐの上半身のうち、サイドエアバッグ装置によって保護される部位が、上記実施形態とは異なる部位に変更されてもよい。この場合、エアバッグ２５の形状や大きさが、乗員Ｐの対象となる部位を保護できる形状や大きさに変更される。
【０１１４】
・上記エアバッグ装置が適用される車両には、自家用車に限らず各種産業車両も含まれる。
・上記エアバッグ装置は、車両以外の乗物、例えば航空機、船舶等における乗物用シートに装備されるエアバッグ装置にも適用可能である。
【符号の説明】
【０１１５】
１０…車両（乗物）、２０…ガス発生器、２１…インフレータ（ガス発生器本体）、２２…特定取付突起（取付突起）、２３…取付突起、２５…エアバッグ、２６…折り線（屈曲部）、２７…第１布部、２８…第２布部、３２…収容室、４１，４２…収容壁部、４５…結合部、４６…挿入口、４８，４９…取付孔、５１…剛性補強部（開口促進部）、Ｌ１…軸線。
【図１】
0006583157.tif 000002
【図２】
0006583157.tif 000003
【図３】
0006583157.tif 000004
【図４】
0006583157.tif 000005
【図５】
0006583157.tif 000006
【図６】
0006583157.tif 000007
【図７】
0006583157.tif 000008
【図８】
0006583157.tif 000009
【図９】
0006583157.tif 000010
【図１０】
0006583157.tif 000011